(57)【要約】    【課題】  挿入片が挿入しやすくかつ抜けにくく、挿入−差込みに係る部分等が傷みにくい、段ボール箱のフラップ構造を提供すること。    【解決手段】  フラップ構造１０は、挿入片１を備えた一のフラップＦ１と、これに隣接し挿入片１に対応する差込口２を備えた他のフラップＦ２とからなり、挿入片１は、フラップＦ１においてその側端部を含む二箇所に欠切部３、４が設けられることによりなる略四角形状のものであることを、特徴的な構成とする。欠切部３、４は特に、角の形成された構造とする。【選択図】  図１
2007022562.tif 000002
【特許請求の範囲】
【請求項１】
段ボール箱のフラップ構造であって、該フラップ構造は、挿入片を備えた一のフラップと、これに隣接し該挿入片に対応する差込口を備えた他のフラップとからなり、該挿入片は、該一のフラップにおいてその側端部を含む二箇所に欠切部が設けられることによりなる略四角形状のものであることを特徴とする、フラップ構造。
【請求項２】
前記差込口の形状は、前記挿入片の形状とは異なる形状であることを特徴とする、請求項１に記載のフラップ構造。
【請求項３】
前記差込口の形状は、前記挿入片の挿入方向に向かい略凸字状であることを特徴とする、請求項２に記載のフラップ構造。
【請求項４】
前記欠切部のうち前記側端部ではない方の欠切部は、前記挿入片以外の前記一のフラップの部分が、段ボール箱の取扱いに際して前記差込口もしくは該挿入片に接触しない程度に広い幅にて設けられていることを特徴とする、請求項１ないし３のいずれかに記載のフラップ構造。
【請求項５】
前記幅は、最大部が１０ｍｍ以上であることを特徴とする、請求項４に記載のフラップ構造。
【請求項６】
請求項１ないし５のいずれかに記載のフラップ構造を一または複数備えたことを特徴とする、段ボール箱。
【発明の詳細な説明】
【技術分野】
【０００１】
本発明はフラップ構造および段ボール箱に係り、特に、フラップの開閉を挿入片と差込口により行う段ボール箱における取扱い性向上の可能な、フラップ構造および段ボール箱に関する。
【背景技術】
【０００２】
ノンステープル形式の段ボール箱では、従来より、挿入片とこれに対応する差込口によって箱のフラップの開閉や組立を行う形式が、よく用いられている（特許文献１など）。
【０００３】
【特許文献１】特開２００２−３７０７２７（梱包箱）
【発明の開示】
【発明が解決しようとする課題】
【０００４】
さて、隣接するフラップにそれぞれ挿入片とこれに対応する差込口を設けた段ボール箱もまた、従来提供されてはいるが、従来技術では、挿入片および差込口がともに円弧状となったものが用いられている。しかしこれは、たとえば輸送中等に、挿入片が差込口から抜けやすいという問題点がある。
【０００５】
また、挿入片を形成するための欠切部は充分な幅が設けられておらず、そのために、欠切部を挟んで対向する挿入片とその余の部分とが擦れ合ったり、あるいはその余の部分が差込口と接触したりすることによって傷みやすく、耐久性に問題がある。
【０００６】
本発明が解決しようとする課題は、かかる上記従来技術の欠点をなくし、フラップの開閉を挿入片と差込口により行う段ボール箱において、挿入片が挿入しやすくかつ抜けにくく、また、挿入−差込みに係る部分およびその周囲が傷みにくく、従来よりも優れた組立作業性、取扱い性を備えた、段ボール箱のフラップ構造、および段ボール箱を提供することである。
【課題を解決するための手段】
【０００７】
本願発明者は上記課題について検討した結果、挿入片、欠切部等の構造を改良することによって課題解決可能であることを見出し、本発明に至った。すなわち、上記課題を解決するための手段として本願で特許請求される発明、もしくは少なくとも開示される発明は、以下の通りである。
【０００８】
（１）  段ボール箱のフラップ構造であって、該フラップ構造は、挿入片を備えた一のフラップと、これに隣接し該挿入片に対応する差込口を備えた他のフラップとからなり、該挿入片は、該一のフラップにおいてその側端部を含む二箇所に欠切部が設けられることによりなる略四角形状のものであることを特徴とする、フラップ構造。
（２）  前記差込口の形状は、前記挿入片の形状とは異なる形状であることを特徴とする、（１）に記載のフラップ構造。
（３）  前記差込口の形状は、前記挿入片の挿入方向に向かい略凸字状であることを特徴とする、（２）に記載のフラップ構造。
（４）  前記欠切部のうち前記側端部ではない方の欠切部は、前記挿入片以外の前記一のフラップの部分が、段ボール箱の取扱いに際して前記差込口もしくは該挿入片に接触しない程度に広い幅にて設けられていることを特徴とする、（１）ないし（３）のいずれかに記載のフラップ構造。
（５）  前記幅は、最大部が１０ｍｍ以上であることを特徴とする、（４）に記載のフラップ構造。
（６）  （１）ないし（５）のいずれかに記載のフラップ構造を一または複数備えたことを特徴とする、段ボール箱。
【発明の効果】
【０００９】
本発明のフラップ構造および段ボール箱は上述のように構成されるため、これによれば、フラップの開閉を挿入片と差込口により行う段ボール箱において、挿入片が挿入しやすくかつ抜けにくく、また、挿入−差込みに係る部分およびその周囲が傷みにくい。したがって、従来よりも優れた組立作業性、取扱い性を発揮することができる。
【発明を実施するための最良の形態】
【００１０】
以下、本発明を図面により詳細に説明する。
図１は、本発明の段ボール箱のフラップ構造の構成を例示する平面図である。図示するように本フラップ構造１０は、挿入片１を備えた一のフラップＦ１と、これに隣接し該挿入片１に対応する差込口２を備えた他のフラップＦ２とからなり、該挿入片１は、該一のフラップＦ１においてその側端部を含む二箇所に欠切部３、４が設けられることによりなる略四角形状のものであることを、主たる構成とする。該欠切部３、４は特に、Ｒ形状ではなく、角の形成された構造とする。すなわち該挿入片１は、Ｒ形状ではなく該欠切部３、４によって形成された角を備えてなるものである。略四角形状には、四角形の他に概略四角形と把握できる形状をも含み、また四角形の具体的形状は特に限定されない。もちろん、台形、く平行四辺形、長方形、あるいは正方形でもよい。
【００１１】
かかる構成により、本フラップ構造１０の挿入片１は、従来のような円弧状（Ｒ形状）のものとは異なり、該差込口２に挿入された場合における該差込口２に対する引っ掛かりが良好であり、該挿入片１の挿入が容易になされるとともに、該差込口２からの抜けには抵抗がかかり、抜けにくくなる。これにより、輸送中等における該挿入片１の抜け、すなわち段ボール箱の好ましくない開き、包装の崩れが、有効に防止される。
【００１２】
図に例示するように本フラップ構造１０では、前記差込口２の形状は、前記挿入片１の形状とは異なる形状とし、特に、前記挿入片１の挿入方向に向かい略凸字状の形状などとすることができる。
【００１３】
かかる構成により、該挿入片１を該差込口２に挿入する際、その前端部のうち該差込口２の最凸部分に対向する部分は、該差込口２の縁部に対して非接触で挿入されることができ、該挿入片１および該差込口２双方の接触による傷みを防止でき、フラップの耐久性向上、ひいては段ボール箱の耐久性向上を得ることができる。
【００１４】
図に例示するように本発明のフラップ構造１０において、前記欠切部のうち前記側端部ではない方の欠切部４は、前記挿入片１以外の前記一のフラップＦ１の部分５が、段ボール箱の取扱いに際して、前記差込口２もしくは該挿入片１に接触しない程度に広い幅にて設けられた構成とすることができる。
【００１５】
かかる構成により、段ボール箱の取扱いに際して、該欠切部４を挟んで対向する挿入片１とその余の部分５とが擦れ合ったり、あるいはその余の部分５が差込口２と接触したりすることがなく、よって、かかる挿入−差込みに係る各部分の傷みの発生が防止される。
【００１６】
特に前記幅は、最大部つまり最も幅が広い部分において１０ｍｍ以上とすることができる。図示するように該欠切部５は必ずしも平行に形成される必要はなく、基部においては狭く、先端に向い漸次広くなる構成をとることができる。上記構成に拘わらず、該幅は、最狭部において１０ｍｍ以上としても、もちろんよい。
【００１７】
図２は、図１に例示された本発明フラップ構造を備えた段ボール箱の構成例を示す平面図である。楕円中にハッチングの施された部分は、段ボールの目の方向を表すもので、例示である。図では、幅面の天フラップの一つに、向かって左方部に挿入片が設けられ、左方に隣接する長さ面の天フラップに対応する差込口が設けられた構成例が示されている。挿入片−差込口は、図のように一対のみでもよいが、対向して二対設けることとしてもよい。また、挿入片はフラップの向かって右方部に設けてもよい。
【実施例】
【００１８】
以下、本発明の実施例を説明するが、本発明はかかる実施例に限定されるものではない。
図３は、本発明段ボール箱の実施例を示す平面図である。寸法単位はｍｍである。また、
図４は、図３の平面図により製造した段ボール箱の平面構成を示す写真図であり、挿入片の設けられたフラップを外側に開いた状態である。本例により組み立てられた段ボール箱は挿入片を差し込みやすく、かつ従来のものよりもこれが抜けにくかった。また欠切部が広いため、挿入片ならびにその周囲、および差込口の傷みが従来のものよりも少なかった。
【産業上の利用可能性】
【００１９】
本発明は、ノンステープル形式の段ボール箱における組立作業性、取扱い性を向上させ、しかも包装の確実性を高め、輸送中等における包装状態を良好に維持できるものであり、包装・容器、輸送、流通分野などにおいて、利用価値の高い発明である。
【図面の簡単な説明】
【００２０】
【図１】本発明の段ボール箱のフラップ構造の構成を例示する平面図である。
【図２】図１に例示された本発明フラップ構造を備えた段ボール箱の構成例を示す平面図である。
【図３】本発明段ボール箱の実施例を示す平面図である。
【図４】図３の平面図により製造した段ボール箱の平面構成を示す写真図である。
【符号の説明】
【００２１】
１…挿入片
２…差込口
３、４…欠切部
５…フラップの前端部
１０…フラップ構造
Ｆ１、Ｆ２…フラップ
【図１】
2007022562.tif 000003
【図２】
2007022562.tif 000004
【図３】
2007022562.tif 000005
【図４】
2007022562.tif 000006